(57)【要約】  素人の使用に対して比較的安全な、皮膚剥離のための方法および携帯装置が開示されている。携帯装置は、ハウジングに取り外し可能に装着されたアセンブリを形成する、安全ケージを有する刃を含む。素人による使用に対して装置を安全にする安全ケージは、刃が皮膚に侵入することができる深さを制限する。携帯皮膚剥離装置の様々な実施形態が熟考される。１つの実施形態では、圧電性結晶は、刃を超音波周波数で振動させるために、刃に取り付けられている。  【選択図】図１
2016533847.tif 000002
【特許請求の範囲】
【請求項１】
それぞれの構成要素を支えるためのメインハウジングと、
前記ハウジングによって支えられる刃と、
前記ハウジングによって支えられる、振動を発生させるための振動発生部と、
前記振動発生部に電力を供給するための電力供給部と、
前記電力供給部を前記振動発生部に選択的に接続するためのスイッチと、
前記刃が皮膚に侵入することができる深さを制限するように構成された前記刃を覆うように近接して配置された安全ケージと
を備える携帯皮膚剥離装置。
【請求項２】
前記振動発生部は、圧電性結晶を含む、請求項１に記載の携帯皮膚剥離装置。
【請求項３】
前記振動発生部は、モータおよび偏心回転負荷を含む、請求項１に記載の携帯皮膚剥離装置。
【請求項４】
前記振動発生部は、圧電性結晶およびモータを含み、
前記スイッチは、１つまたは他の圧電性結晶および前記モータを二者択一的に選択できるように構成されている、
請求項１に記載の携帯皮膚剥離装置。
【請求項５】
前記刃は、前記メインハウジングの長手方向の軸線に概ね平行な軸線に沿って延びている、請求項１に記載の携帯皮膚剥離装置。
【請求項６】
前記モータは直流モータである、請求項３に記載の携帯皮膚剥離装置。
【請求項７】
前記モータの速度を制御するための抵抗器をさらに含む、請求項６に記載の携帯皮膚剥離装置。
【請求項８】
前記メインハウジングを中に入れるように構成された外側ハウジングをさらに含む、請求項１に記載の携帯皮膚剥離装置。
【請求項９】
前記安全ケージはくし状構造として形成されている、請求項１に記載の携帯皮膚剥離装置。
【請求項１０】
前記安全ケージは、前記刃の刃先を覆うように近接して配置されている、請求項１０に記載の携帯皮膚剥離装置。
【請求項１１】
顔面皮膚を処理するためのプロセスであって、前記プロセスは、
（ａ）携帯皮膚剥離装置によって皮膚剥離するステップを含み、
前記装置は、該装置による切り込みの深さを制限するように構成されている、
プロセス。
【請求項１２】
前記皮膚剥離するステップの前に、処理される前記皮膚の領域を洗浄するステップをさらに含む、請求項１１に記載のプロセス。
【請求項１３】
前記皮膚剥離するステップの後に、前記処理された領域に化学薬品によるピーリングを実行するステップをさらに含む、請求項１１に記載のプロセス。
【請求項１４】
前記皮膚剥離するステップの後に、前記処理された領域に香油を塗布するステップをさらに含む、請求項１１に記載のプロセス。
【請求項１５】
前記刃は、１ピースの刃である、請求項１に記載の携帯皮膚剥離装置。
【請求項１６】
前記刃は、取り外し可能な刃を含む２ピースの装置である、請求項１に記載の携帯皮膚剥離装置。
【請求項１７】
前記刃は、前記ハウジングに取り外し可能に装着されている、請求項１５に記載の携帯皮膚剥離装置。
【請求項１８】
前記刃は、前記ハウジングに固定して装着されている、請求項１５に記載の携帯皮膚剥離装置。
【発明の詳細な説明】
【技術分野】
【０００１】
本発明は、顔面皮膚を処理する際に使用される携帯装置およびプロセスに関し、より詳細には、素人による使用に安全な、顔面皮膚の角質を除去するための携帯皮膚剥離装置および顔面皮膚を剥離するためのプロセスに関する。
【背景技術】
【０００２】
顔面皮膚を処理するための様々なプロセスが知られている。これらのプロセスは、携帯装置を含むことが知られ、以下のようないくつかのカテゴリーに分類される。
・髭剃り
・洗浄および保湿
・皮膚切除
・皮膚剥離（角質除去）
・創面切除
【０００３】
髭剃りは、かみそりによって顔ひげを除去するために使用される。標準的な安全かみそりに加えて、米国特許第３，５０９，６２６号明細書およびロシア特許第２３２０４７６号明細書は、髭剃り中に超音波周波数で刃を振動させるための、刃に取り付けられた圧電性結晶を有する安全かみそりを開示する。これらの装置は、安全かみそり、圧電性結晶、バッテリ、およびバッテリを圧電性結晶に接続するための回路を含む。これらの装置は、人の顔から余分な毛を除去するために使用され、いかなる皮膚も除去しない。前記装置は、素人の使用のために構成されている。
【０００４】
手動の処理に加えて、洗浄および保湿は、携帯装置によって達成してもよい。例えば、米国特許出願公開第２００５／００４３６５３号明細書および米国特許第５，９３１，８５９号明細書および米国特許第６，１１９，０３５号明細書は、人の顔に液体を与えるための携帯装置を開示する。これらの装置は、皮膚を洗浄するために微量の電流が加えられる洗浄モードを含む。米国特許出願公開第２００８／０１３９９７４号明細書は、保湿液を人の顔に塗布するためのみの携帯装置を開示する。前記装置の例は、以下（ｈｔｔｐ：／ｗｗｗ．ｙｏｕｔｕｂｅ．ｃｏｍ／ｗａｔｃｈ？ｖ＝Ｗ１ＰｃＳｆ２５３ｃｓ）にも開示されている。
【０００５】
超音波周波数に依存する、顔面皮膚を洗浄するための他の携帯装置が知られている。これらの装置の例は、日本特許第２０００００６０４２７号明細書、韓国特許第２００４００２２５５０号明細書、および韓国特許第２００８０００６８７５号明細書に開示されている。前記装置のさらなる例は、以下のサイト（ｈｔｔｐ：／ｗｗｗ．ｙｏｕｔｕｂｅ．ｃｏｍ／ｗａｔｃｈ？ＮＲ＝１＆ｖ＝ｊｙｐＫｌｒｐＧＤＩｇ＆ｆｅａｔｕｒｅ＝ｆｖｗｐ；ｈｔｔｐ：／ｗｗｗ．ｙｏｕｔｕｂｅ．ｃｏｍ／ｗａｔｃｈ？ｖ＝ｆｍＳＳ２ｕｅｘｍａｃ；ｈｔｔｐ：／ｄｅｒｍａｓｏｎｉｃ．ｃｏｍ／ｈｏｗ．ｈｔｍｌ）で見つけることができる。前記装置も、素人の使用のために構成されている。
【０００６】
皮膚切除は、傷跡または他の欠陥を除去するために、目の細かい研磨紙またはワイヤブラシで皮膚を研磨することによって、皮膚の外側層を除去するための美容外科手術である。この手術は、真皮に至るまでの皮膚を研磨するために使用される。真皮は、表皮と、結合組織からなる皮下組織との間の皮膚の層であり、応力およびひずみから身体を和らげる。皮膚切除は、通常、麻酔薬を必要とし、通常、皮膚科医のような医療専門家によってなされる。感染症および傷の可能性のために、皮膚切除は、顔面皮膚処理に対する比較的評判の良くない選択である。
【０００７】
皮膚切除を実行するための携帯装置が知られている。皮膚切除のために使用される例示の携帯装置は、米国特許第８，０５２，６６２号明細書および米国特許出願公開第２００３／０２３３０８５号明細書、米国特許出願公開第２００４／０１８５０６７号明細書、米国特許出願公開第２００７／０２９３７９５号明細書、米国特許出願公開第２００９／００４８５５７号明細書、米国特許出願公開第２００９／０１２４９８５号明細書、および米国特許出願公開第２０１３／０１４４２８０号明細書で開示され、詳細に説明されている。一般に、前記装置は、面に当てられる研磨材を有する当て部を含む。当て部は、超音波周波数で当て部を振動させるために圧電性結晶に取り付けられている。振動当て部は、関心の面領域に当てられる。米国特許第７，３８４，４０５号明細書は、研磨毛（ａｂｒａｓｉｖｅ  ｂｒｉｓｔｌｅｓ）を有する回転ブラシを含む携帯装置を開示する。携帯皮膚切除装置は、専門家および素人の使用のために利用可能であることが知られている。
【０００８】
創面切除は、壊死の、すなわち死んだ、感染した、損傷を受けた、汚染された組織のような不健康な組織を除去するために、または組織の異物を除去する状況で免許を有する医師によって実行される外科技術である。米国特許出願公開第２０１２／０１０１５１２号明細書は、創面切除のために使用されることが知られた携帯装置を開示する。装置は、把手によって支えられる刃を含む。刃は、壊死の組織に隣接して位置する健康な組織のいずれも傷つけることなく、組織部位から離れるように壊死の組織をこすり取る働きをする小さく平たい切れない刃である。圧電性結晶は、超音波周波数で刃を振動させるために、刃に取り付けられる。前記創面切除装置は、専門家のための使用にのみ利用可能である。
【０００９】
皮膚剥離は、比較的単純で安全な比較的評判の良いプロセスであり、表皮、すなわち皮膚の細胞の外側層の角質を除去し、皮膚から細い軟毛、すなわち産毛を除去するために使用される。皮膚剥離は、通常、エステティシャンのような免許を有するスキンケアの専門家によって実行されるプロセスである。メスおよび繊細なタッチを使用して、メスは、皮膚の角質を除去するために、軽く往復させることによって皮膚を横切って素早く通過される。角質を除去することは、皮膚の最外面の最も古い死んだ皮膚細胞の除去を含む。
【００１０】
顔面皮膚の剥離は、多くの利益を有する。例えば、表皮の皮膚を除去することにより、より良好な結果を得るために、スキンケア製品を皮膚のより深い層の中により容易に侵入させることができる。上で述べたように、皮膚剥離は、毛包にほこりおよび油を蓄積させる傾向がある軟毛を除去する。毛髪の除去は、より健康に見える皮膚をもたらす。
【先行技術文献】
【特許文献】
【００１１】
【特許文献１】米国特許第３，５０９，６２６号明細書
【特許文献２】ロシア特許第２３２０４７６号明細書
【特許文献３】米国特許出願公開第２００５／００４３６５３号明細書
【特許文献４】米国特許第５，９３１，８５９号明細書
【特許文献５】米国特許第６，１１９，０３５号明細書
【特許文献６】米国特許出願公開第２００８／０１３９９７４号明細書
【特許文献７】日本特許第２０００００６０４２７号明細書
【特許文献８】韓国特許第２００４００２２５５０号明細書
【特許文献９】韓国特許第２００８０００６８７５号明細書
【特許文献１０】米国特許第８，０５２，６６２号明細書
【特許文献１１】米国特許出願公開第２００３／０２３３０８５号明細書
【特許文献１２】米国特許出願公開第２００４／０１８５０６７号明細書
【特許文献１３】米国特許出願公開第２００７／０２９３７９５号明細書
【特許文献１４】米国特許出願公開第２００９／００４８５５７号明細書
【特許文献１５】米国特許出願公開第２００９／０１２４９８５号明細書
【特許文献１６】米国特許出願公開第２０１３／０１４４２８０号明細書
【特許文献１７】米国特許第７，３８４，４０５号明細書
【特許文献１８】米国特許出願公開第２０１２／０１０１５１２号明細書
【発明の概要】
【発明が解決しようとする課題】
【００１２】
皮膚剥離のために使用される携帯装置は、通常、刃および把手からなる手術用のメスを備える。前記メスは、素人の使用に対して利用可能ではない。そのようなものとして、皮膚剥離は、免許を有するスキンケアの専門家がいる温泉場でのみ利用可能である。前記温泉場での皮膚剥離処理は、比較的高価であることがある。あいにく、素人の家庭使用のために知られた皮膚剥離装置は知られていない。
【００１３】
したがって、この問題を克服する、素人の使用のための皮膚剥離のための携帯装置および方法を提供する要求がある。
【課題を解決するための手段】
【００１４】
簡潔には、本発明は、素人の使用に対して比較的安全な皮膚剥離のための方法および携帯装置に関する。携帯装置は、ハウジングに取り外し可能に装着されたアセンブリを形成する安全ケージを有する刃を含む。安全ケージは、素人による使用に対して装置を安全にする、刃が皮膚に侵入することができる深さを制限する。携帯皮膚剥離装置の様々な実施形態が熟考される。１つの実施形態では、圧電性結晶は、刃を超音波周波数で振動させるために、刃に取り付けられている。偏心負荷を駆動するモータは、他の周波数で刃を振動させるために、刃に取り付けてもよい。１つの実施形態では、モータおよび圧電性結晶は、刃に選択的に、二者択一的に接続可能である。別の実施形態では、装置は、刃に連結された圧電性結晶のみを備える。さらに別の実施形態では、装置は、刃に連結されたモータおよび偏心負荷のみを備える。モータを備える実施形態では、モータの速度は、振動周波数を変更できるようにするために、任意に調整可能であってもよい。本発明の重要な態様に従って、刃は、素人によって装置を安全に使用できるようにするために、刃の顔面皮膚への侵入量を制限するための安全ガードを備える。本発明は、素人によって使用することができる皮膚剥離プロセスも含む。
【発明の効果】
【００１５】
本発明のこれらの利点および他の利点は、以下の明細書および添付図面を参照して容易に理解される。
【図面の簡単な説明】
【００１６】
【図１】本発明に従う例示の皮膚剥離装置の側面図である。
【図２】図１に示された皮膚剥離装置の１つの実施形態の分解図である。
【図３】図１に示された皮膚剥離装置の側断面図である。
【図４ａ】オフ位置を開示する、本発明で使用するための４段階の電気の回転スイッチの例示の回路図である。
【図４ｂ】超音波モードの位置を示す、本発明で使用するための４段階の電気の回転スイッチの例示の回路図である。
【図４ｃ】中間のオフ位置を示す、本発明で使用するための４段階の電気の回転スイッチの例示の回路図である。
【図４ｄ】超音波モードを示す、本発明で使用するための４段階の電気の回転スイッチの例示の回路図である。
【図５】圧電性結晶、偏心負荷を有するモータ、およびモータの速度を制御するための任意の抵抗器を含む１つの実施形態を示す、図３に示された皮膚剥離装置のための例示の回路図である。
【図６】図５に示された実施形態で使用するための例示のプリント回路基板の上部平面図である。
【図７】図１と同様であるがサムホイールを有していない図である。
【図８】圧電性結晶のみを含む本発明に従う皮膚剥離装置の代替の実施形態の分解図である。
【図９】図８に示された皮膚剥離装置の側断面図である。
【図１０】図８に示された皮膚剥離装置の例示の回路図である。
【図１１】図８に示された皮膚剥離装置で使用するための例示のプリント回路基板である。
【図１２】モータおよび偏心負荷のみを含む本発明に従う皮膚剥離装置の別の代替の実施形態の分解図である。
【図１３】図１２に示された皮膚剥離装置の側断面図である。
【図１３Ａ】取り外し可能な刃を示す図１２に示された装置の代替の実施形態である。
【図１３Ｂ】取り外し可能な刃がメスにどのように取り付けられるかを示す図である。
【図１３Ｃ】取り外し可能な刃がメスにどのように取り付けられるかを示す図である。
【図１３Ｄ】取り外し可能な刃がメスにどのように取り付けられるかを示す図である。
【図１３Ｅ】メスに取り付けられた取り外し可能な刃を示す側面図である。
【図１３Ｆ】図１３ｅと同様であるがメスから取り外された取り外し可能な刃を示す図である。
【図１３Ｇ】図１２に示された装置の別の代替の実施形態である。
【図１４】図１２に示された皮膚剥離装置の例示の回路図である。
【図１５】図１に示された皮膚剥離装置で使用するための例示のプリント回路基板である。
【図１６】ハウジングの把手部分に取り付けられた取り外し可能な刃を示す本発明に従う皮膚剥離装置の部分側面図である。
【図１６ａ】安全ケージおよび刃ハウジングを示す刃の部分拡大図である。
【図１７】例示の刃ガードを示す部分等角図である。
【図１８】例示のバヨネットタイプインターフェースを示すハウジングの把手部分から取り外されて示された本発明で使用するための例示の刃の部分等角図である。
【図１９】本発明に従う皮膚剥離装置を使用する人の部分等角図である。
【図２０】ユーザの顔上の皮膚剥離装置の往復方向を示す矢印が付された顔の図である。
【発明を実施するための形態】
【００１７】
本発明は、素人の使用に対して比較的安全な皮膚剥離のための方法および携帯装置に関する。携帯皮膚剥離装置（ｈａｎｄ−ｈｅｌｄ  ｄｅｒｍａｐｌａｎｉｎｇ  ｄｅｖｉｃｅ）の様々な実施形態は、後述されるように熟考される。１つの実施形態では、携帯装置は、ハウジングに取り外し可能に装着された刃アセンブリを含む。本発明の重要な態様に従って、刃（ｂｌａｄｅ）は、素人によって装置を安全に使用できるようにするために、刃の顔面皮膚への侵入量を制限するための刃の刃先を覆うように近接して配置された安全ケージ（ｓａｆｅｔｙ  ｃａｇｅ）を含む。本発明の別の態様は、素人によって使用することができる皮膚剥離プロセス（ｄｅｒｍａｐｌａｎｉｎｇ  ｐｒｏｃｅｓｓ）に関する。
【００１８】
皮膚剥離装置の３つの例示の実施形態が説明され図示されている。３つの実施形態の全ては、例えば図１および図７に示されるような例示の外側ハウジング（ｏｕｔｅｒ  ｈｏｕｓｉｎｇ）を含み、後述されるように、刃アセンブリは安全ケージ、超音波振動を発生させるための圧電回路のような振動発生部（ｖｉｂｒａｔｉｏｎ  ｇｅｎｅｒａｔｏｒ）、または出力軸に取り付けられた偏心部を有するモータを備える。第１実施形態は、図２から図６に示されている。第１実施形態は、超音波周波数、例えば２０，０００ヘルツよりも上の周波数で刃を振動させるための圧電性結晶回路、および超音波周波数、例えば２０，０００ヘルツよりも下の周波数以外の周波数で刃アセンブリを振動させる偏心回転負荷（ｅｃｃｅｎｔｒｉｃ  ｒｏｔａｒｙ  ｌｏａｄ）を有するモータを含む。第２実施形態は、図７から図１０に示されている。この実施形態では、皮膚剥離装置は、刃に取り付けられた圧電性結晶回路のみを含む。第３実施形態は、図１１−１４に示されている。この実施形態では、皮膚剥離装置は、図１に示されるような外側ハウジングを含み、振動発生部としての回転偏心負荷を有するモータを含む。
【００１９】
図１３ａから図１３ｆは、メスおよび取り外し可能な刃を含む２ピースの刃アセンブリを有する１つの実施形態を示す。この実施形態では、メスは、メインハウジングに固定して装着してもよいし、または代案として、バヨネット装着部または他の従来の結合手段を有するメインハウジングに結合してもよい。
【００２０】
外側ハウジング
上で述べたように、図１は、圧電性結晶（ｐｉｅｚｏ−ｅｌｅｃｔｒｉｃ  ｃｒｙｓｔａｌ）、および回路、および／またはモータ、および例えば図２から図６および図１２から図１５に示された、モータの速度を制御するための任意の抵抗器（ｒｈｅｏｓｔａｔ）を含む様々な実施形態で使用することができる全体が参照符号２０によって特定された１つの例示の外側ハウジングを示す。外側ハウジング２０は、それぞれの端部で閉塞され例えば射出成形プラスチックまたは他の材料によって２つの部分で形成された円筒中空部材として形成してもよい。詳細には、外側ハウジング２０は、把手部分を形成する端部キャップ２１およびカバー部分を形成する上端キャップ２４を含む。カバー部分２４は、分割線２７で後述されるメインハウジング２６に取り付けるように構成してもよい。把手部分２１は、分割線３０でメインハウジング２６に取り付ける。この例示の実施形態では、オンオフスイッチ、および装置への電力を制御するための、全体が参照符号２９によって特定された任意の一体化ＬＥＤ（発光ダイオード）は、メインハウジング２６によって支えられ、把手部分２１とカバー部分２４との間で露出してもよい。より詳細に後述されるように、メインハウジング２６によって支えられる任意のサムホイール制御スイッチ３１は、モータ３４の速度を制御するために使用してもよい。
【００２１】
図７は、全体が参照符号２３によって特定された代替の外側ハウジングを示す。外側ハウジング２３は、抵抗器および任意のサムホイールを含まない実施形態で使用される。
【００２２】
ここで使用されるとき、ハウジングという用語は、外側ハウジング２０（図１）および外側ハウジング２３（図７）を個々に参照するだけでなく、メインハウジング２８（図２）と組み合わせた外側ハウジング２１、２３の組み合わせを個々にかつ選択的に参照する。
【００２３】
第１実施形態
第１に図２から図６を参照すると、本発明の第１実施形態は、参照符号８５によって示され説明され特定されている。本発明の第１実施形態は、メインハウジング２８、圧電性結晶３２、直流モータ３４、軸３８に結合された偏心回転負荷３６、およびバッテリ２２のような電力供給部（ｐｏｗｅｒ  ｓｕｐｐｌｙ）を含む。装置のための電力供給部は、交流電流の電力供給部であってもよい点がさらに熟考される。前記交流電流の電力供給部は、当技術分野でよく知られている。
【００２４】
メインハウジング２８は、プラスのバッテリ接点４２およびマイナスのバッテリ接点４４を規定する全体が参照符号４０によって特定されたバッテリホルダ部分を形成する導電性材料から作成してもよい。より詳細に後述されるように、様々な装置間の配線の一部分は、フレキシブルプリント回路基板から形成することができるプリント回路基板４５によって達成することができる。代案として、プリント回路基板４５は、省略してもよく、様々な装置間の接続は、電気配線によって作成することができる。
【００２５】
メインハウジング２８の一端４６は、いくつかの機能を達成する直径が小さくなった円筒部分４８によって形成してもよい。第１に、図３に最も良く示されるように、直径が小さくなった円筒部分４８の内側部分は、圧電性結晶３２のための摩擦はめ合いを提供するように構成されている。第２に、図１７に最も良く示されるように、直径が小さくなった円筒部分４８の外側部分は、直径が小さくなった部分４８の外側部分のバヨネットインターフェースと協働する、バヨネットインターフェースによって装着された例示の取り替え可能な刃５０のためのバヨネットインターフェースを提供する。本発明の重要な態様に従って、安全ケージ６６（図１６ａ）は、刃５０の顔面皮膚への侵入を制限するために、刃５０を覆うように取り付けられる。
【００２６】
図３に戻ると、皮膚剥離装置８５の第１実施形態の断面図が示されている。図３は、メインハウジング２６を詳細に示し、様々な構成要素の全てがメインハウジング２６の中にどのように取り付けられるかを示す。示されるように、様々な構成要素は、例えばはんだ付けによってプリント回路基板４５に配線してもよく接続してもよい。
【００２７】
上で述べたように、この実施形態は、作動の超音波モードを規定する超音波周波数で刃４６を振動させるための圧電性結晶を含む。装置は、準超音波周波数モードを規定する超音波の振動周波数以外の振動周波数を発生させるための、全体が参照符号５１によって特定された少なくとも１つの偏心回転負荷を有する直流モータを含めてもよい。偏心部は、半円ディスク５１として形成してもよい。固定ベアリング５３は、モータ軸３２を固定するために、ディスク５１から軸線方向外側に配置してもよい。モータ軸の回転速度に依存して、刃アセンブリ５０に伝送される振動が作り出される。
【００２８】
超音波／振動を発生させるために圧電性結晶を駆動する駆動回路は、当技術分野でよく知られている。前記回路は、通常、圧電性結晶に加えられる交流電流または電圧を含む。前記駆動回路の例は、米国特許第３，５０９，６２６号明細書、米国特許第３，９６７，１４３号明細書、および米国特許出願公開第２００３／０２３３０８５号明細書に開示されている。前記駆動回路は、参照によって全てがこの中に取り込まれた韓国特許出願公開第２００４００２２５５０号明細書にも開示されている。圧電装置に対する全ての参照文献は、圧電装置に超音波／振動を発生させる駆動回路を含むように理解される。それぞれの構成要素を含む駆動回路は、プリント回路基板４５に配置してもよい。
【００２９】
図４から図６は、圧電要素３２および少なくとも１つの偏心回転負荷５１を有する直流モータ３４を含む装置５０を制御するための電気の詳細を示す。制御の重要な態様は、図４ａから図４ｄに示されるような任意の例示の４つの位置の回転スイッチ３１である。前記４つの位置のスイッチは、通常、利用可能であり、４つの電線を含む。標準的には、開かれた回転接点は、圧電性結晶３２への電力を制御するための端子３、４間と、直流モータ３４への電力を制御するための端子１、２間とに設けられている。端子２、３は、バッテリ２２のプラス極に一緒に接続されている。
【００３０】
図４ａに示された回転スイッチ３１の第１位置では、圧電性結晶３２への電力を制御するための端子３、４間の接点は、直流モータ３４への電力を制御するための端子１、２間の接点が開かれるのと同様に開かれる。そのようなものとして、図４ａに示された位置で圧電性結晶３２またはモータ３４のいずれにも電力は供給されない。図４ｂに示された回転スイッチ３１の第２位置では、端子３、４間の接点は閉じられ、したがって電力を供給する、すなわちプラスのバッテリ端子を圧電性結晶３２に接続する。端子１、２間の接点が開かれるので、スイッチ３１が図４ｂに示された位置にあるとき、電力はモータ３４に供給されない。図４ｃは、端子３、４間の接点および端子１、２間の接点の両方が開かれ、したがって圧電性結晶３２およびモータ３４の両方の電源を切る別のオフ位置を示す。図４ｄは、端子１、２間の接点が閉じられる、したがってモータ３４に電力を供給するスイッチ３１の位置を示す。端子３、４間の接点がこの位置で開かれるので、この位置では、電力は圧電性結晶３２に供給されない。
【００３１】
皮膚剥離装置８５のための例示の回路図が図５に示されている。示されるように、回路は、バッテリ２２によって電力が供給される。上述のように、回転スイッチ３１は、バッテリ２２を圧電性結晶３２に選択的に接続できるようにするか、または超音波モードまたは準超音波周波数モードをそれぞれ規定するモータ３４に二者択一的に接続できるようにする。任意のＬＥＤ５４、５６は、装置５０のモードを表示するために設けてもよい。詳細には、ＬＥＤ５４は、圧電性結晶３２と並列に接続されている。したがって、圧電性結晶３２がバッテリ２２のプラス極に接続されているときはいつでも、ＬＥＤ５４は、装置５０が作動の超音波モードで作動していることを示して点灯する。同様に、任意のＬＥＤ５６は、実質的にモータ３４と並列に接続されている。したがって、モータ３４がバッテリ２２のプラス極に接続されているときはいつでも、ＬＥＤ５６は、作動の準超音波モードを示して点灯する。両方のＬＥＤ５４、５６は、圧電性結晶３２もモータ３４もバッテリ２２のプラス極に接続されていないとき、オフにされる。
【００３２】
任意の抵抗器５８は、モータ３４と直列に接続してもよい。当技術分野で知られているように、直流モータの速度は、モータに加えられる電圧を制御することができる。任意の抵抗器５８は、調整可能であり、モータ３４への電流および電圧を変更する抵抗器５８の抵抗を変更するように制御することができる。モータ２２の速度を変更することによって、振動周波数は変更することができる。図１に示されるように、任意のサムホイール３１は、ハウジング２０の外側からアクセス可能であり、抵抗器５８を調整できるようにする。モータ３４は、例えば、毎分６００回転で作動してもよい。
【００３３】
図６は、様々な構成要素を回路に接続するために使用することができる、任意であり例示のプリント回路基板４５である。プリント回路基板４５の構造は、示されたものと異なっていてもよいことが熟考される。また、様々な従来技術は、様々な構成要素をプリント回路基板４５に接続するために熟考される。１つの前記技術は、はんだ付けである。代案として、プリント回路基板４５は省略することができ、様々な構成要素間の接続は、電線によって作成することができる。任意のＬＥＤ５４、５６および任意の抵抗器５８だけでなく回転スイッチ３１もプリント回路基板４５に装着することができる点も熟考される。
【００３４】
第２実施形態
第２実施形態は、図８から図１１に示され、参照符号１８５によって特定されている。この実施形態では、同様の構成要素は、先頭に１を付した同様の参照符号によって特定されている。この実施形態では、皮膚剥離装置１８５は、圧電性結晶１３２のみを含む。図１０に示されるように、簡素な単極単投のマイクロスイッチ１２９は、圧電振動装置１３２を制御するために使用してもよい。任意のＬＥＤ１５４は、マイクロスイッチ１２９の一部分として含めてもよい。プリント回路基板１４５は、様々な装置間に接続を作成するために設けてもよい。さらに、マイクロスイッチ１２９は、プリント回路基板１４５に装着してもよい。
【００３５】
第３実施形態
第３実施形態は、図１２から図１５に示され、参照符号２８５によって特定されている。この実施形態では、同様の構成要素は、先頭に２を付した同様の参照符号によって特定されている。この実施形態では、皮膚剥離装置２８５は、ベアリング２５３によって支持されたモータ２３４および偏心回転負荷２４９のみを含む。図１４に示されるように、簡素な単極単投のマイクロスイッチ２２９は、モータ２３４への電力を制御するために使用してもよい。任意のＬＥＤ２５６は、マイクロスイッチ２２９の一部分として含めてもよい。さらに、任意の抵抗器２５８は、モータ２３４の速度を制御するために設けてもよい。図１３に最も良く示されるように、抵抗器２５８は、サムホイール２３１を含む。サムホイール２３１は、装置２５０の外側からモータの速度を調整できるようにするために、図１に示されるように任意に装着してもよい。Ａに対して、プリント回路基板２４５は、様々な装置間に接続を作成するために設けてもよい。さらに、マイクロスイッチ２２９は、プリント回路基板２４５に装着してもよい。
【００３６】
図１２の実施形態の代替の実施形態が図１３ａに示されている。この実施形態では、最後尾に「ａ」を付した同様の参照符号は、同様の部分を特定するために使用されている。この実施形態では、抵抗器は設けられていない。また、図１２から図１５に示された実施形態だけでなく、この実施形態においても、プリント回路基板は排除してもよい。他の実施形態だけでなく、この実施形態においても、刃またはメス２５０ａは、ハウジング２２８ａに装着されたまたは固定して装着されたバヨネットであってもよい。
【００３７】
前記実施形態の全てにおいて、メスまたは刃２５０ａは、上で示され説明されたように、１ピースの刃（ｏｎｅ  ｐｉｅｃｅ  ｂｌａｄｅ）であってもよく、バヨネット装着部（ｂａｙｏｎｅｔ  ｍｏｕｎｔ）を付けて構成してもよい。代案として、刃２５０ａは、２ピースの装置（２  ｐｉｅｃｅ  ｄｅｖｉｃｅ）、すなわち図１３ａに示されるような取り外し可能な刃（ｒｅｍｏｖａｂｌｅ  ｂｌａｄｅ）２４９ａを有するメス２５０ａとして形成することができる。前記実施形態では、メス２５０ａは、ハウジング２２８ａに固定して装着してもよい。取り外し可能な刃を有するメスの他の構造も、広い特許請求の範囲の範囲内に含まれることが考えられる。
【００３８】
取り外し可能な刃を有するメスは、当技術分野で極めてよく知られている。取り外し可能な刃を有するメスの例が、参照によってここに取り込まれた米国特許第１，１３９，７９６号明細書に詳細に図示され説明されている。取り外し可能な刃２４９ａを有する実施形態では、上述のように、安全ケージ２６６ａは刃２４９ａに形成してもよい。図１３ａに示された装置は、メス２５０ａおよび取り外し可能な刃２４９ａを覆うように取り付ける安全カバー、例えば図１２に示されるような安全カバー２５２と同様の（図示していない）安全カバーを含めてもよい。
【００３９】
図１３ａは、取り外し可能な刃２４９ａが取り付けられたメス２５０ａを示す。図１３ｂから図１３ｄは、メス２５０ａに取り付けられる取り外し可能な刃２４９ａを示す。メス２５０ａは、複数の棒部、例えば参照符号２５３ａ、２５５ａ、２５７ａによって特定された３つの棒部を有して形成されている。これらの棒部２５３ａ、２５５ａ、２５７ａは、メスに形成され、示されるように、一側でメスから外向きに延びている。これらの棒部２５３ａ、２５５ａ、２５７ａは、取り外し可能な刃２５３ａに形成されたスロット２５９ａ、２６１ａ、２６３ａと協働するように形成されている。図１３ｂに最も良く示されるように、スロット２５９ａ、２５９ｂは、開放スロットであり、メス２５０ａの延びる棒部２５５ａ、２５７ａを中に入れるように構成されている。開口部２６３ａは、メス２５０ａに形成された棒部２５３ａを中に入れるために刃２５０ａに形成されている。図１３ｅおよび図１３ｆから明らかであるように、棒部２５３ａは、棒部２５５ａ、２５７ａよりも短い。この特徴は、棒部２５３ａを、適当な位置に留め、開口部２４９ａの中に入れることができるようにし、メス２５０ａに対して刃２４９ａを適当な位置に実質的に固定できるようにする。
【００４０】
図１２の実施形態の別の代替の実施形態が図１３ｇに示されている。この実施形態では、最後尾に「ｂ」を付した同様の参照符号は、同様の部分を特定するために使用されている。この実施形態は、この実施形態以外で図１３ａに示された実施形態と同様であり、装置２８５には、上述のように、バヨネット装着部によって装置に取り付ける１ピースの刃２５２ｂが設けられている。この実施形態では、刃カバー２７０ｂが設けられている。刃カバー２７０ｂは、Ｃタイプの断面部分に設けてもよく、カバー２７０ｂが刃２５２ｂの上でスライドされると、全体が参照符号２７２ｂによって特定されたボタンに刃２５２ｂを挟ませるばね力を有して形成してもよい。
【００４１】
刃
本発明の重要な態様は、刃アセンブリ５０、１５０、２５０に関する。刃アセンブリ５０、１５０、２５０は、図１６から図１８に最も良く示されている。図１８に最も良く示されるように、刃アセンブリ５０、１５０、２５０は、概ね円筒の部分６０に装着され、把手部分２１（図１）に取り付けられた円筒部分４８（図２）と結合するように構成されている。刃アセンブリ５０、１５０、２５０は、１人の患者にのみ使用される。そのようなものとして、刃６２のアセンブリ５０、１５０、２５０は、廃棄のために取り外し可能であり、それぞれの新規の客のために取り替えられる。
【００４２】
図１６および図１８に示されるように、刃アセンブリ５０、１５０、２５０の円筒部分６０は、例えばバヨネット接続によって、把手部分２１に取り付けられた円筒部分４８に取り付けるように構成されている。他の接続も適している。
【００４３】
本発明の重要な態様に従って、刃アセンブリ５０、１５０、２５０は、手術用の刃またはメス６２、および図１７に最も良く示されたくさび形の断面部分を有する鋳造ハウジング６４を含む。刃６２は、装置ハウジング２０（図１）、２３（図７）の長手方向の軸線に概ね平行に、または装置ハウジング２０（図１）、２３（図７）の長手方向の軸線に対して鋭角に、軸線に沿って延びている。
【００４４】
皮膚への切り込みの深さ（ｔｈｅ  ｄｅｐｔｈ  ｏｆ  ｔｈｅ  ｃｕｔ）を制限するために、そして、素人が顔面皮膚の表皮層の下方に誤って切り込むことを回避するために、安全ケージ６６は、刃６２の延びた部分を覆うように近接して配置されている。より詳細には、安全ケージ６６は、刃６２の刃先６７を覆うように延び、刃ハウジング６４から延びている。図１６ａに最も良く示されるように、安全ケージ６６は、棒部６８および谷部７０を規定する例示のくし状構造（ｃｏｍｂ−ｌｉｋｅ  ｓｔｒｕｃｔｕｒｅ）として形成されている。くし状構造６６は、刃６２の刃先６７を覆うように射出成形してもよい。代案として、くし状構造６６は、刃６２の刃先６７を覆うように適当な位置に留めてもよい。谷部７０の深さは、谷部７０の深さを例えば数ミリメータに制限することによって、切り込みの深さを制限する。そのようなものとして、刃アセンブリ５０、１５０、２５０は、皮膚剥離装置の一部分として、素人による使用に対して安全な状態にされている。
【００４５】
上で述べたように、２ピースの刃またはメスを使用してもよい。前記実施形態では、安全ケージは、取り外し可能な刃の刃先部分を覆うように設けられる。
【００４６】
プロセス
顔面皮膚を処理するためのプロセスが素人に対して説明されている。皮膚剥離を含む、素人による顔面皮膚を処理するための例示のプロセスは、後述される。
１．洗浄する：このステップは、皮膚剥離手順のために皮膚を準備する。このステップは、皮膚の表面の油を除去する一方で、化粧品および残留物を効率的に除去する。
・温水で顔を濡らし、濡れた手のひらに少量の洗顔クリームを付け、両手で泡立てて、顔にマッサージする。温水で洗い落とし、繰り返す。皮膚が乾くように拭き取る。
２．皮膚剥離する：例えば、上で開示されたような刃および埋め込まれた振動技術を含み、安全に皮膚の角質を除去する、素人による使用に対して安全な携帯皮膚剥離装置を使用する。ここで説明されたもの以外の刃および埋め込まれた振動技術を有する皮膚剥離装置も適している。振動技術は、微小循環およびリンパ液の活性を刺激する一方、刃性能を最大にする。皮膚は、徹底的に角質が除去されるだけでなく、たまったかすおよび軟毛の全てが除去される。皮膚は、乳児のような柔らかさが残され、製品の侵入は最大にされる。
把手部分を握ることから始め、装置のスイッチを入れる。直ちに微妙な振動に気付くだろう。
・図１９および図２０に示されるように、右側に集中して顔の中心で処理を開始し、弱く安定した押圧力を使用して、眉および目の領域を避けつつ、顔の輪郭に従って、前額部を横切り髪の生え際に向かって装置を移動させる。
・顔の上部分を終えると、顔の下部分に移動させ、中心線で再度開始し、同様に弱いが安定した押圧力を使用して、下顎の輪郭に沿って耳に向かって上方に装置を移動させる。上方に頬へと処理を継続し、鼻から耳に向かって頬の輪郭に従って移動させる。鼻および目の領域は回避されるべきである。口の周りを処理するとき、弱く安定した押圧力を加えつつ短距離の往復を行い、紅唇（唇の縁）に向かって移動させ、唇の表面を回避する。
・皮膚剥離装置は、皮膚の角質を除去するのに極めて効果的であり、いかなる領域においても２回通す必要はない。顔の右側を終えると、左側に移り、同一パターンに従う。
３．ピーリングを行う：
化学薬品によるピーリング（ｃｈｅｍｉｃａｌ  ｐｅｅｌ）は、角質を除去するプロセスを完了させる。様々な化学薬品によるピーリングが適している。例えば、抗酸化剤化合物、例えばバイオパーフェクトの抗酸化剤錯体（Ｂｉｏｐｅｒｆｅｃｔ'ｓ  Ａｎｔｉ−Ｏｘｉｄａｎｔ  Ｃｏｍｐｌｅｘ）と組み合わせたアルファヒドロキシ酸およびベータヒドロキシ酸のブレンドを含む化学薬品によるピーリングは、角質を除去するプロセスを完了させ、コラーゲンの生成に刺激を与えることを手助けするために細胞の代謝回転を増幅する。このピーリングは、皮膚剥離装置の使用に続いて直ちに使用される。
・準備されたピーリングパッドを開ける。前額部で始め、前額部で始めて円運動を用いて顔全体および首にピーリングを当てる。繊細な目および唇領域との接触は回避する。
４．後処理の安らぎを与える香油−繊細な後処理の皮膚に、安らぎを与え、栄養分を与え、繊細な後処理の皮膚を保護するために考案された香油（ｂａｌｍ）を使用する。香油は角質が除去された新たな皮膚の中に深く吸収され、その結果、我々の特許の多重合成物の薬用化粧品の最適な吸収がもたらされる。
・少量を使用し、目領域を回避して顔および首にマッサージする。
【００４７】
上述の教示に照らして、本発明の多くの修正および変形形態が考えられることは明らかである。例えば、皮膚剥離ステップを除く１つ以上のプロセスのステップは、排除してもよい。したがって、本発明は、添付の特許請求の範囲の範囲内で、上で詳細に説明したものとは別の方法で実施してもよいことが理解される。
【００４８】
米国の特許証によって保護されるように請求され望まれるものは、以下である。
【図１】
2016533847.tif 000003
【図２】
2016533847.tif 000004
【図３】
2016533847.tif 000005
【図４ａ】
2016533847.tif 000006
【図４ｂ】
2016533847.tif 000007
【図４ｃ】
2016533847.tif 000008
【図４ｄ】
2016533847.tif 000009
【図５】
2016533847.tif 000010
【図６】
2016533847.tif 000011
【図７】
2016533847.tif 000012
【図８】
2016533847.tif 000013
【図９】
2016533847.tif 000014
【図１０】
2016533847.tif 000015
【図１１】
2016533847.tif 000016
【図１２】
2016533847.tif 000017
【図１３】
2016533847.tif 000018
【図１３Ａ】
2016533847.tif 000019
【図１３Ｂ】
2016533847.tif 000020
【図１３Ｃ】
2016533847.tif 000021
【図１３Ｄ】
2016533847.tif 000022
【図１３Ｅ】
2016533847.tif 000023
【図１３Ｆ】
2016533847.tif 000024
【図１３Ｇ】
2016533847.tif 000025
【図１４】
2016533847.tif 000026
【図１５】
2016533847.tif 000027
【図１６】
2016533847.tif 000028
【図１６ａ】
2016533847.tif 000029
【図１７】
2016533847.tif 000030
【図１８】
2016533847.tif 000031
【図１９】
2016533847.tif 000032
【図２０】
2016533847.tif 000033
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
それぞれの構成要素を支えるためのメインハウジングと、
前記ハウジングによって支えられる刃と、
前記ハウジングによって支えられる、振動を発生させるための振動発生部と、
前記振動発生部に電力を供給するための電力供給部と、
前記電力供給部を前記振動発生部に選択的に接続するためのスイッチと、
前記刃が皮膚に侵入することができる深さを制限するように構成された前記刃を覆うように近接して配置された安全ケージと
を備える携帯皮膚剥離装置。
【請求項２】
前記振動発生部は、圧電性結晶を含む、請求項１に記載の携帯皮膚剥離装置。
【請求項３】
前記振動発生部は、モータおよび偏心回転負荷を含む、請求項１に記載の携帯皮膚剥離装置。
【請求項４】
前記振動発生部は、圧電性結晶およびモータを含み、
前記スイッチは、１つまたは他の圧電性結晶および前記モータを二者択一的に選択できるように構成されている、
請求項１に記載の携帯皮膚剥離装置。
【請求項５】
前記刃は、前記メインハウジングの長手方向の軸線に概ね平行な軸線に沿って延びている、請求項１に記載の携帯皮膚剥離装置。
【請求項６】
前記モータは直流モータである、請求項３に記載の携帯皮膚剥離装置。
【請求項７】
前記モータの速度を制御するための抵抗器をさらに含む、請求項６に記載の携帯皮膚剥離装置。
【請求項８】
前記メインハウジングを中に入れるように構成された外側ハウジングをさらに含む、請求項１に記載の携帯皮膚剥離装置。
【請求項９】
前記安全ケージはくし状構造として形成されている、請求項１に記載の携帯皮膚剥離装置。
【請求項１０】
前記安全ケージは、前記刃の刃先を覆うように近接して配置されている、請求項１に記載の携帯皮膚剥離装置。
【請求項１１】
顔面皮膚を処理するためのプロセスであって、前記プロセスは、
（ａ）携帯皮膚剥離装置によって皮膚剥離するステップを含み、
前記装置は、該装置による切り込みの深さを制限するように構成されている、
プロセス。
【請求項１２】
前記皮膚剥離するステップの前に、処理される前記皮膚の領域を洗浄するステップをさらに含む、請求項１１に記載のプロセス。
【請求項１３】
前記皮膚剥離するステップの後に、前記処理された領域に化学薬品によるピーリングを実行するステップをさらに含む、請求項１１に記載のプロセス。
【請求項１４】
前記皮膚剥離するステップの後に、前記処理された領域に香油を塗布するステップをさらに含む、請求項１１に記載のプロセス。
【請求項１５】
前記刃は、１ピースの刃である、請求項１に記載の携帯皮膚剥離装置。
【請求項１６】
前記刃は、取り外し可能な刃を含む２ピースの装置である、請求項１に記載の携帯皮膚剥離装置。
【請求項１７】
前記刃は、前記ハウジングに取り外し可能に装着されている、請求項１５に記載の携帯皮膚剥離装置。
【請求項１８】
前記刃は、前記ハウジングに固定して装着されている、請求項１５に記載の携帯皮膚剥離装置。
【国際調査報告】
2016533847.tif 000034